(57)【要約】【課題】  撮像部による撮影のタイミングを一定に保って正確にかつ良好に撮影することができる電子機器を提供する。【解決手段】  表面３ａに撮像部５が設けられた平面型の機器ケース３が保護カバー１によって折り曲げ自在に覆われる電子機器２において、保護カバー１が機器ケース３を覆う際に、保護カバー１の開閉角度を検出して撮像部５による撮影を実行させるための検出信号を出力する開閉検出部２６を備えている。従って、保護カバー１が機器ケース３を覆う際に、開閉検出部２６によって保護カバー１の開閉角度を検出することができるので、この開閉検出部２６で検出された検出信号に基づいて、機器ケース３の撮像部５による撮影のタイミングを一定に保つことができ、これにより保護カバー１における機器ケース３の表面３ａを覆う箇所に配置された被写体６を正確にかつ良好に撮影することができる。【選択図】        図１
2014041590.tif 000002
【特許請求の範囲】
【請求項１】
表面に撮像部が設けられた平面型の機器ケースがカバーによって折り曲げ自在に覆われる電子機器において、
前記カバーが前記機器ケースを覆う際に、前記カバーの開閉角度を検出して前記撮像部による撮影を実行させるための検出信号を出力する開閉検出部を備えていることを特徴とする電子機器。
【請求項２】
請求項１に記載の電子機器において、前記開閉検出部は、前記機器ケースに設けられた検出素子と、前記カバーに設けられ、かつ前記カバーの開閉動作に応じて前記機器ケースに接離可能に接近する被検出部とを有していることを特徴とする電子機器。
【請求項３】
請求項２に記載の電子機器において、前記検出素子は磁界を検出する磁気センサであり、前記被検出部は磁石であることを特徴とする電子機器。
【請求項４】
請求項１に記載の電子機器において、前記開閉検出部は、前記機器ケースに設けられて磁界の変化を検出する検出素子と、前記カバーに設けられ、かつ前記カバーの開閉動作に応じて磁界が変化する被検出部とを有していることを特徴とする電子機器。
【請求項５】
請求項４に記載の電子機器において、前記検出素子は磁界の変化を検出する磁気センサであり、前記被検出部は、前記カバーの開閉動作に応じて変位する変位部材と、この変位部材に設けられ、かつ前記変位部材の変位に応じて前記検出素子に対する磁界の向きが変化する磁石とを備えていることを特徴とする電子機器。
【請求項６】
請求項１〜請求項５のいずれかに記載の電子機器において、前記機器ケースの側面部に対応する前記カバーの折曲部には、ペンホルダ部が設けられ、このペンホルダ部には、前記開閉検出部の前記被検出部が設けられていることを特徴とする電子機器。
【発明の詳細な説明】
【技術分野】
【０００１】
この発明は、携帯情報端末機などの平面型の電子機器に関し、更に詳しくはカバーによって開閉自在に覆われる電子機器に関する。
【背景技術】
【０００２】
例えば、平面型の電子機器においては、特許文献１に記載されているように、機器ケースを覆って保護する保護カバーを備え、この保護カバーが機器ケースを収容するケースカバー部と、このケースカバー部に回転自在に取り付けられて機器ケースの表面を覆う蓋カバー部とを有するように構成されたものが知られている。
【先行技術文献】
【特許文献】
【０００３】
【特許文献１】特開２００７−１２７９８０号公報
【発明の概要】
【発明が解決しようとする課題】
【０００４】
このような電子機器は、保護カバーのケースカバー部がほぼ箱状またはほぼ枠状に形成され、このケースカバー部に機器ケースが収納され、この状態で蓋カバー部が回転して機器ケースの表面が開閉自在に覆われるように構成されている。
【０００５】
ところで、このような電子機器においては、機器ケースにカメラなどの撮像部が搭載され、この撮像部で名刺やメモ書きなどの被写体を撮影して撮影データとして取り込む場合に、保護カバーの蓋カバー部に名刺やメモ書きなどの被写体を配置し、この状態で蓋カバー部を閉じる方向に傾けて被写体を撮像部によって撮影することが検討されている。
【０００６】
しかしながら、このような電子機器では、保護カバーの蓋カバー部が閉じて機器ケースの表面を覆う際に、蓋カバー部が単に開閉するだけであるため、被写体を撮像部で撮影する際に、蓋カバー部の傾きを検出して撮影のタイミングを一定の保つことが難しいため、正確にかつ良好に被写体を撮影することができないとうい問題が生じる。
【０００７】
この発明が解決しようとする課題は、撮像部による撮影のタイミングを一定に保って正確にかつ良好に撮影することができる電子機器を提供することである。
【課題を解決するための手段】
【０００８】
この発明は、表面に撮像部が設けられた平面型の機器ケースがカバーによって折り曲げ自在に覆われる電子機器において、前記カバーが前記機器ケースを覆う際に、前記カバーの開閉角度を検出して前記撮像部による撮影を実行させるための検出信号を出力する開閉検出部を備えていることを特徴とする電子機器である。
【発明の効果】
【０００９】
この発明によれば、カバーが機器ケースを覆う際に、開閉検出部によってカバーの開閉角度を検出することができるので、この開閉検出部で検出された検出信号に基づいて、機器ケースの撮像部による撮影のタイミングを一定に保つことができ、これによりカバーにおける機器ケースの表面を覆う箇所に配置された被写体を正確にかつ良好に撮影することができる。
【図面の簡単な説明】
【００１０】
【図１】この発明を適用した電子機器の第１実施形態を示した使用時における斜視図である。
【図２】図１に示された電子機器と保護カバーとを分解して示した斜視図である。
【図３】図２に示された保護カバーを広げて展開した状態を示した平面図である。
【図４】図３に示された保護カバーの各断面を示し、（ａ）は図３のＡ−Ａ矢視における断面図、（ｂ）は図３のＢ−Ｂ矢視における要部の拡大断面図である。
【図５】図２に示された電子機器の裏面側を示した斜視図である。
【図６】図５に示された機器ケースの係合部を示し、（ａ）はその要部を示した拡大図、（ｂ）はそのＣ−Ｃ矢視における要部の拡大断面図である。
【図７】図２に示されたクリック感付与部を示し、（ａ）はその拡大斜視図、（ｂ）はそのＤ−Ｄ矢視における要部の拡大断面図である。
【図８】図２に示された保護カバーの使用形態を示し、（ａ）は保護カバーで電子機器を立て掛けて使用する状態を示した側面図、（ｂ）は保護カバーを記録紙の紙台として使用する状態を示した側面図、（ｃ）は保護カバーと機器ケースとの間に記録紙を挟んで電子機器を使用する状態を示した側面図である。
【図９】この発明を適用した電子機器の第２実施形態を示した使用時における斜視図である。
【図１０】図９に示された保護カバーにおける一時停止部を示した要部の拡大斜視図である。
【図１１】図１０に示された保護カバーの第２平面部で機器ケースの表面を覆って閉じた際における一時停止部を示した要部の拡大斜視図である。
【図１２】図９に示された保護カバーで電子機器を立て掛けて使用する状態を示した側面図である。
【図１３】この発明を適用した電子機器の第３実施形態における保護カバーを広げて展開した状態を示した平面図である。
【図１４】図１３に示された保護カバーに設けられた開閉検出部の被検出部において、保護カバーを広げて展開した状態における磁石の変位状態を示した要部の拡大斜視図である。
【図１５】図１４に示された被検出部において、保護カバーを折り曲げた状態における磁石の変位状態を示した要部の拡大斜視図である。
【図１６】図１３に示された保護カバーに設けられた被検出部の磁石と、この磁石の変位に応じて変化する磁界を検出する検出素子との関係を示した原理図である。
【発明を実施するための形態】
【００１１】
（第１実施形態）
以下、図１〜図８を参照して、この発明を適用した電子機器の第１実施形態について説明する。
この電子機器２は、図１および図２に示すように、折り曲げ自在の保護カバー１によって覆われて保護されるように構成されている。すなわち、この電子機器２は、平面型のタブレット端末装置であり、平板状の機器ケース３を備えている。この機器ケース３の表面３ａには、入力表示部４と撮像部５とが設けられている。
【００１２】
入力表示部４は、図１および図２に示すように、タッチパネルの下面に表示パネルを配置したものであり、機器ケース３の表面３ａにおけるほぼ全域に亘って配置されている。この入力表示部４は、表示パネルに表示された情報を見ながらタッチパネルをタッチ操作することにより、表示が切り替わったり、情報が入力されたりするように構成されている。
【００１３】
撮像部５は、デジタルカメラ部であり、図１および図２に示すように、機器ケース３の表面３ａにおける一側部３ｂに設けられている。すなわち、この撮像部５は、図１に示すように、入力表示部４の上方を通過して機器ケース３の他側部３ｃ側に配置された被写体６を撮影するように構成されている。この場合、被写体６は、名刺やメモ書きされたレポート用紙などである。
【００１４】
一方、保護カバー１は、電子機器２の裏面３ｄが配置される第１平面部７と、電子機器２の表面３ａを開閉自在に覆う第２平面部８と、第１平面部７および第２平面部８を折り曲げ自在に連結する連結部９とを備えていている。第１平面部７、第２平面部８および連結部９は、図４に示すように、それぞれ合成樹脂製の中板１０と、この中板１０を覆うカバーシート１１とで構成されている。
【００１５】
すなわち、中板１０は、ポリプロピレンなどの硬質の合成樹脂からなり、第１平面部７、第２平面部８および連結部９ごとにそれぞれ独立して形成されている。カバーシート１１は合成皮革、天然皮革、軟質の合成樹脂などかなり、第１平面部７、第２平面部８および連結部９の各中板１０を連続して覆うように形成されている。
【００１６】
これにより、保護カバー１は、図３および図４に示すように、第１平面部７と連結部９との間、および第２平面部８と連結部９との間がカバーシート１１によって折れ曲がり自在に連結された構成になっている。この場合、第１平面部７の中間部には、第１折曲部１２が連結部９に対する折れ曲がり方向と平行に設けられており、第２平面部８の中間部にも、第２折曲部１３が連結部９に対する折れ曲がり方向と平行に設けられている。
【００１７】
このため、第１平面部７は、図４に示すように、中板１０が第１折曲部１２を境に左右両側に分割され、この分割された部分がカバーシート１１によって折れ曲がり自在に連結された構成になっている。同様に、第２平面部８も、中板１０が第２折曲部１３を境に左右両側に分割され、この分割された部分がカバーシート１１によって折れ曲がり自在に連結された構成になっている。
【００１８】
この場合、第１平面部７は、図１〜図４に示すように、電子機器２の裏面３ｄよりも少し広い面積に形成されている。第２平面部８は、電子機器２の表面３ａよりも少し広い面積で、かつ第１平面部７とほぼ同じ大きさに形成されている。この第２平面部８における第２折曲部１３よりも連結部９と反対側に位置する箇所には、第１位置規制溝８ａと第２位置規制溝８ｂとが所定間隔離れた状態で連結部９と平行に設けられている。また、連結部９は、電子機器２の側面部よりも少し広い面積で形成されている。
【００１９】
ところで、第１平面部７には、図２〜図４に示すように、電子機器２が着脱可能に取り付けられる機器取付板１４が設けられている。この場合、機器取付板１４は、機器ケース３の裏面３ｄとほぼ同じ大きさに形成されている。この機器取付板１４は、第１平面部７のうち、第１折曲部１２を境にして、連結部９と反対側に位置する箇所の第１平面部７の半分のみに取り付けられている。
【００２０】
また、この機器取付板１４には、図２〜図４に示すように、電子機器２が係脱可能に係合して電子機器２の取付位置を規制する位置規制フック部１５が設けられている。この位置規制フック部１５は、連結部９に対して反対側に位置する機器ケース３の一側部３ｂ、つまり撮像部５が位置する機器ケース３の一側部３ｂを挟持する一対の挟持フック１６と、機器ケース３の裏面３ｄにおける四隅に設けられた係合部１７に係脱可能に係合する複数の係止フック１８とを有している。
【００２１】
一対の挟持フック１６は、図２〜図４に示すように、撮像部５の両側に位置する機器ケース３の一側部３ｂを挟持する際に、撮像部５の両側部と機器ケース３の一側部３ｂとに当接することにより、機器取付板１４に対する機器ケース３の取付位置を規制するように構成されている。
【００２２】
この場合、機器ケース３の係合部１７は、図５および図６に示すように、機器ケース３の裏面３ｄにおける四隅にそれぞれ設けられた凹部１７ａと、この凹部１７ａ内にそれぞれ設けられた係止ブリッジ部１７ｂとを有している。凹部１７ａは、機器ケース３の隅部から中心に向けて長いほぼ楕円形のすり鉢状に形成されている。係止ブリッジ部１７ｂは、楕円形の長手方向を二分する位置に架け渡されている。
【００２３】
このため、機器ケース３の係合部１７は、図５および図６に示すように、機器ケース３の係止フック１８が係止ブリッジ部１７ｂに係脱可能に係合するほか、バンド（図示せず）が凹部１７ａの底部と係止ブリッジ部１７ｂの下面との間に挿入することにより、バンドが機器ケース３に取り付けられ、このバンドによって機器ケース３を携帯することもできるように構成されている。
【００２４】
このように、この位置規制フック部１５は、図５および図６に示すように、機器ケース３の撮像部５が位置する機器ケース３の一側部３ｂを一対の挟持フック１６が挟み付けて機器取付板１４に対する機器ケース３の取付位置を規制し、この状態で機器ケース３が機器取付板１４に押し付けられると、機器ケース３の係合部１７に係止フック１８が係脱可能に係合することにより、機器ケース３を機器取付板１４に取り付けるように構成されている。
【００２５】
ところで、この保護カバー１は、図１および図２に示すように、第２平面部８が電子機器２の表面３ａを覆う際に、第２平面部８が第１平面部７に対して予め定められた角度θに傾くと、第２平面部８の閉じる動作を一旦停止させる一時停止部２０を備えている。この一時停止部２０による第２平面部８の予め定められた角度θとは、例えば４５度〜９０度の範囲であり、好ましくは６０度程度の角度である。
【００２６】
この一時停止部２０は、図３および図４に示すように、予め定められた回転力以上の回転力によって回転する第１ヒンジ２１と、予め定められた回転力以下の回転力によって回転する第２ヒンジ２２とを有している。第１ヒンジ２１は、トルクヒンジであり、第２平面部８の中板１０と連結部９の中板１０とに跨って取り付けられている。
【００２７】
すなわち、この第１ヒンジ２１は、図４（ｂ）に示すように、ヒンジ軸２１ａに一対の取付片２１ｂを回転可能な状態で取り付けたものであり、ヒンジ軸２１ａを第２平面部８の中板１０と連結部９の中板１０との間に配置した状態で、一方の取付片２１ｂが第２平面部８の中板１０に取り付けられ、他方の取付片２１ｂが連結部９の中板１０に取り付けられた構成になっている。
【００２８】
この場合、第１ヒンジ２１は、図４（ｂ）に示すように、ヒンジ軸２１ａを中心に一対の取付片２１ｂが回転する際に、一定の負荷が加わることにより、予め定められた回転力以上の回転力によって一対の取付片２１ｂがヒンジ軸２１ａを中心に回転するように構成されている。
【００２９】
また、第２ヒンジ２２は、図４（ｂ）に示すように、合成樹脂からなり、ヒンジ軸に相当する屈曲部２２ａによって一対の取付片２２ｂを折曲可能な状態で一体に連結形成した構成になっている。すなわち、この第２ヒンジ２２は、屈曲部２２ａを第１平面部７の中板１０と連結部９の中板１０との間に配置した状態で、一方の取付片２２ｂが第１平面部７の中板１０に取り付けられ、他方の取付片２２ｂが連結部９の中板１０に取り付けられた構成になっている。
【００３０】
この場合、屈曲部２２ａは、図４（ｂ）に示すように、一対の取付片２２ｂ間にその各取付片２２ｂの厚みよりも肉厚が薄く形成されている。これにより、第２ヒンジ２２は、屈曲部２２ａが屈曲することにより、この屈曲部２２ａを中心に一対の取付片２２ｂが回転する際に、予め定められた回転力以下の回転力、つまりほとんど負荷を生じない程度の回転力によって、一対の取付片２２ｂが屈曲部２２ａを中心に回転するように構成されている。
【００３１】
これにより、一時停止部２０は、図１〜図４に示すように、第２平面部８が電子機器２の表面３ａを覆う際に、第２ヒンジ２２を中心に第２平面部８を連結部９と共に第１平面部７に対して回転させて予め定められた傾斜角度θで一旦停止させた後に、第１ヒンジ２１を中心に第２平面部８を連結部９に対して回転させるように構成されている。
【００３２】
また、この保護カバー１は、図１および図２に示すように、第２平面部８が第１平面部７に対して予め定められた傾斜角度θで一旦停止する際に、第２平面部８にクリック感を付与するクリック感付与部２３を備えている。このクリック感付与部２３は、図７（ａ）および図７（ｂ）に示すように、クリック本体２４とアーム部２５とを備えている。
【００３３】
クリック本体２４は、図７（ａ）および図７（ｂ）に示すように、連結部９に設けられた本体部２４ａ内にスライド部２４ｂがコイルばね２４ｃのばね力によって出没可能に配置された構成になっている。アーム部２５は、第１平面部７に設けられ、第２平面部８が連結部９と共に第１平面部７に対して予め定められた傾斜角度θに回転した際に、先端部の傾斜部２５ａがスライド部２４ｂを押して本体部２４ａ内に押し込むように構成されている。
【００３４】
この場合、クリック本体２４は、図７（ａ）および図７（ｂ）に示すように、スライド部２４ｂがアーム部２５で押されて本体部２４ａ内に押し込まれた際に、スライド部２４ｂの鍔部２４ｄが本体部２４ａ内の突起部２４ｅを乗り越えることにより、クリック感を発生するように構成されている。
【００３５】
また、この保護カバー１は、図３および図５に示すように、機器ケース３を覆う際に、保護カバー１の開閉角度が開閉検出部２６によって検出されるように構成されている。この開閉検出部２６は、機器ケース３に設けられた検出素子２６ａと、保護カバー１に設けられ、かつ保護カバー１の開閉動作に応じて機器ケース３の検出素子２６ａに接離可能に接近する被検出部２６ｂとを有している。
【００３６】
検出素子２６ａは、磁界を検出するホール素子などの磁気センサであり、図１および図２に示すように、保護カバー１の連結部９に対応する機器ケース３内の側面に設けられ、磁気を検出した際に、撮像部５による撮影を実行させるための電気信号を検出信号として出力するように構成されている。また、被検出部２６ｂは、磁石であり、機器ケース３の側面が対応する保護カバー１の連結部９に設けられ、保護カバー１の開閉動作に応じて機器ケース３の検出素子２６ａに接離可能に接近するように構成されている。
【００３７】
これにより、開閉検出部２６は、図１および図２に示すように、第２平面部８が第１平面部７に対して予め定められた角度θで傾斜して一旦停止した際に、検出素子２６ａが被検出部２６ｂを検出して、撮像部５による撮影を実行させるための電気信号を検出信号として出力するように構成されている。
【００３８】
この場合、機器ケース３の側面部３ｃに対応する保護カバー１の連結部９には、図１〜図３に示すように、タッチペン（図示せず）を着脱可能に収納するペンホルダ部２７が設けられている。このペンホルダ部２７は、ほぼ半円筒状に形成され、その一端部（図３では上辺部）が開放された構成になっている。このペンホルダ部２７には、開閉検出部２６の被検出部２６ｂが機器ケース３の検出素子２６ａに接離可能に接近する状態で設けられている。
【００３９】
なお、保護カバー１の第２平面部８における連結部９と反対側に位置する一側部には、図３に示すように、ケース止め部２８が設けられている。このケース止め部２８は、屈曲可能な舌状に形成され、その先端部内に平板状の磁石２８ａが設けられている。これにより、ケース止め部２８は、その先端部が第１平面部７の下面に折り曲げられると、第１平面部７内の磁性板２９ａに吸着するように構成されている。
【００４０】
また、このケース止め部２８は、その先端部が第２平面部８の上面に折り曲げられると、第２平面部８内の磁性板２９ｂに吸着するように構成されている。さらに、連結部９と反対側に位置する第２平面部８の側部における両側のコーナー部には、被写体６のレポート用紙を仮止めするための一対のコーナーバンド８ｃが設けられている。
【００４１】
次に、この保護カバー１の作用について説明する。
まず、電子機器２を保護カバー１に取り付ける場合について説明する。この場合には、保護カバー１を広げて展開し、この保護カバー１の第１平面部７に設けられた機器取付板１４上に機器ケース３の裏面３ｄを対応させる。この状態で、機器ケース３を位置規制フック部１５によって機器取付板１４に取り付ける。
【００４２】
このときには、機器ケース３の撮像部５が位置する機器ケース３の一側部３ｂを位置規制フック部１５の一対の挟持フック１６に挟み込んで機器取付板１４に対する機器ケース３の取付位置を規制する。この状態で、機器ケース３を機器取付板１４に押し付けることにより、機器ケース３の係合部１７に係止フック１８が係脱可能に係合し、機器ケース３が機器取付板１４に取り付けられる。
【００４３】
そして、保護カバー１に取り付けられた電子機器２を携帯する際には、第２平面部８を連結部９で折り曲げて機器ケース３の表面３ａに配置する。このときには、まず、第２ヒンジ２２を中心に第２平面部８が連結部９と共に第１平面部７に対して回転し、この第２平面部８が第１平面部７に対して予め定められた角度θに傾斜すると、一時停止部２０によって第２平面部８の閉動作が一旦停止すると共に、クリック感付与部２３が第２平面部８にクリック感を付与する。
【００４４】
すなわち、一時停止部２０は、第２平面部８が電子機器２の表面３ａを覆う際に、予め定められた回転力以下の回転力で回転する第２ヒンジ２２を中心に、第２平面部８が連結部９と共に第１平面部７に対して回転し、この第２平面部８が第１平面部７に対して予め定められた角度θに傾斜すると、第１ヒンジ２１の回転力によって第２平面部８の回転力が重くなることにより、第２ヒンジ２２を中心とする第２平面部８と連結部９との回転を一旦停止させる。
【００４５】
また、クリック感付与部２３は、第２平面部８が第１平面部７に対して予め定められた角度θに傾斜すると、クリック本体２４のスライド部２４ｂが、コイルばね２４ｃのばね力に抗して、第１平面部７に設けられたアーム部２５で押されて本体部２４ａ内に押し込まれ、スライド部２４ｂの鍔部２４ｄが本体部２４ａ内の突起部２４ｅを乗り越えることにより、クリック感を発生する。
【００４６】
この後、第２平面部８を予め定められた回転力以上の回転力で回転させると、今度は第１ヒンジ２１を中心に第２平面部８が連結部９に対して回転する。これにより、連結部９が機器ケース３の側面部３ｃに対応して機器ケース３の側面部３ｃを覆うと共に、第２平面部８が機器ケース３の表面３ａに対応して機器ケース３の表面３ａを覆う。
【００４７】
この状態で、第２平面部８の一側部に設けられたケース止め部２８を折り曲げて、ケース止め部２８の先端部を第１平面部７の下面に折り込む。すると、ケース止め部２８の先端部内の磁石２８ａが第１平面部７内の磁性板２９ａに吸着する。これにより、第２平面部８が勝手に開くことがなく、電子機器２を保護カバー１で良好に保護して携帯することができる。
【００４８】
次に、このように保護カバー１で保護された電子機器２を使用する場合について説明する。この場合には、まず、第２平面部８の一側部に設けられたケース止め部２８の磁石２８ａと第１平面部７内の磁性板２９ａとの吸着力に抗して、ケース止め部２８を第１平面部７の下面から引き離す。そして、このケース止め部２８を折り返して第２平面部８の裏面に配置し、このケース止め部２８の先端部内の磁石２８ａを第２平面部８内の磁性板２９ｂに吸着させる。
【００４９】
この状態で、第２平面部８を開いて機器ケース３の表面３ａを開放する。このときには、第２平面部８が第２ヒンジ２２を中心に連結部９と共に回転して１８０度に開き、機器ケース３の入力表示部４が露呈する。この状態では、入力表示部４に表示された情報を見ながらタッチ操作することにより、表示を切り替えたり情報を入力したりすることができる。
【００５０】
この場合、電子機器２を片手で持って操作する場合には、第２ヒンジ２２を中心に第２平面部８を更に１８０度回転させて第１平面部７の下に重ね合わせる。この状態で、機器ケース３と第２平面部８とを片手で挟むように持って、機器ケース３の入力表示部４をタッチ操作することにより、良好に使用することができる。
【００５１】
また、電子機器２を保護カバー１で立て掛けて使用する場合には、まず、保護カバー１を平面的に広げて展開させ、この状態で、図８（ａ）に示すように、第２ヒンジ２２を中心に第１平面部７を第２平面部８に対して回転させて起立させる。そして、この起立した第１平面部７を第１折曲部１２で機器ケース３の後方に突出させて折り曲げる。すると、機器ケース３の撮影部５が上部に位置し、これと反対側に位置する機器ケース３の下側の側面部３ｃが第２平面部８上に配置された状態で、機器ケース３が斜めに傾斜して保護カバー１によって立て掛けられる。
【００５２】
このときには、機器ケース３の下側に位置する側面部３ｃの縁部を第２平面部８に設けられた第１位置規制溝８ａと第２位置規制溝８ｂとのいずれかに選択的に係止させることにより、機器ケース３の傾き角度が調整される。例えば、機器ケース３の下側に位置する側面部３ｃの縁部を第２平面部８の第１位置規制溝８ａに係止させると、機器ケース３の傾きが緩やかになる。
【００５３】
また、機器ケース３の下側に位置する側面部３ｃの縁部を第２平面部８の第２位置規制溝８ｂに係止させると、機器ケース３の傾きが急になる。更に、機器ケース３の下側に位置する側面部３ｃの縁部を、第２位置規制溝８ｂよりも連結部９側に位置する第２平面部８の上面に配置させると、機器ケース３を更に急な角度で立て掛けることができる。
【００５４】
また、電子機器２を片手で持ちながら被写体６であるレポート用紙などの記録紙にメモ書きをする場合には、保護カバー１で機器ケース３を覆って保護した状態で、図８（ｂ）に示すように、第２平面部８を第２折曲部１３で折り返す。すると、第２平面部８が２つに折れ曲がって重なり合う。この状態で、電子機器２を保護カバー１と共に片手で持ち、重なり合った第２平面部８の最上面にレポート用紙などの記録紙を配置してメモを取ることができる。
【００５５】
また、メモを取った記録紙を見ながら入力表示部４をタッチ操作する場合には、一度、保護カバー１を平面的に広げて展開させ、この状態で、図８（ｃ）に示すように、第２ヒンジ２２を中心に第１平面部７を回転させると共に、第１平面部７を第１折曲部１２で機器ケース３の下方に折り曲げて重ね合わせる。
【００５６】
すると、第２平面部８が機器ケース３の下側に重なり合うので、この第２平面部８と折り返されて下側に位置する半分の第１平面部７との間に記録紙を挟んで、記録紙の一部を機器ケース３から突出させることにより、この突出した部分の記録紙に書き込まれたメモを見ながら機器ケース３の入力表示部４をタッチ操作することができる。
【００５７】
次に、記録紙に記録されたメモ書きや名刺など被写体６を撮像部５で撮影する場合について説明する。
この場合には、まず、保護カバー１の第１平面部７上の機器取付板１４に機器ケース３を取り付けた状態で、電子機器２を撮影モードにセットし、撮像部５による撮影が可能な状態にする。そして、保護カバー１を平面的に広げて展開させ、この展開した保護カバー１の第２平面部８上に被写体６を配置する。このときには、被写体６を第２平面部８のコーナーバンド８ｃに挟んで固定する。
【００５８】
この状態で、図１に示すように、第２ヒンジ２２を中心に第２平面部８を連結部９と共に回転させて機器ケース３の表面３ａに向けて傾ける。このときには、第２ヒンジ２２を中心に第２平面部８が回転し、この第２平面部８が第１平面部７に対して予め定められた角度θに傾斜すると、一時停止部２０によって第２平面部８の閉動作が一旦停止すると共に、クリック感付与部２３が第２平面部８にクリック感を付与する。
【００５９】
このときに、開閉検出部２６が第２平面部８の開閉角度を検出する。すなわち、開閉検出部２６は、第２平面部８が第１平面部７に対して予め定められた角度θに傾斜すると、保護カバー１に設けられた磁石である被検出部２６ｂが、機器ケース３に設けられたホール素子などの磁気センサである検出素子２６ａに接近し、この検出素子２６ａが被検出部２６ｂの磁界を検出し、撮像部５による撮影を実行させるための電気信号を出力する。これにより、撮像部５によってメモ書きされた記録紙や名刺などの被写体６を撮影する。
【００６０】
また、これに限らず、例えば電子機器２を保護カバー１で立て掛けた状態でも、被写体６を撮影することができる。この場合には、図８（ａ）に示すように、第１ヒンジ２１を中心に第１平面部７を回転させて起立させ、この起立した第１平面部７を第１折曲部１２で機器ケース３の後方に突出させて折り曲げる。
【００６１】
これにより、図８（ａ）に示すように、機器ケース３を斜めに傾斜させて保護カバー１によって立て掛ける。この状態で、電子機器２の前側にメモ書きされた記録紙や名刺などの被写体６を配置し、撮影用のスイッチ（図示せず）をオンさせることにより、被写体６を撮像部５によって撮影することができる。
【００６２】
このように、この電子機器２によれば、表面３ａに撮像部５が設けられた平面型の機器ケース３が保護カバー１によって折り曲げ自在に覆われる電子機器２であり、保護カバー１が機器ケース３を覆う際に、保護カバー１の開閉角度を検出して撮像部５による撮影を実行させるための検出信号を出力する開閉検出部２６を備えていることにより、撮像部５による撮影のタイミングを一定に保って正確にかつ良好に撮影することができる。
【００６３】
すなわち、この電子機器２では、保護カバー１が機器ケース３を覆う際に、開閉検出部２６によって保護カバー１の開閉角度を検出することができるので、この開閉検出部２６で検出された検出信号に基づいて、機器ケース３の撮像部５による撮影のタイミングを一定に保つことができ、これにより保護カバー１における機器ケース３の表面３ａを覆う箇所に配置された被写体６を正確にかつ良好に撮影することができる。
【００６４】
この場合、開閉検出部２６は、機器ケース３に設けられて磁界を検出するホール素子などの磁気センサである検出素子２６ａと、保護カバー１に設けられ、かつこの保護カバー１の開閉動作に応じて機器ケース３に接離可能に接近する磁石である被検出部２６ｂとを有しているので、保護カバー１の第２平面部８が保護カバー１の第１平面部７に対して傾くと、保護カバー１に設けられた被検出部２６ｂを、機器ケース３に設けられた検出素子２６ａに接近させることができる。
【００６５】
このため、検出素子２６ａが被検出部２６ｂの磁界を検出し、撮像部５による撮影を実行させるための電気信号を検出信号として出力することができるので、この検出素子２６ａで検出された検出信号に基づいて、機器ケース３の撮像部５による撮影のタイミングを一定に保つことができ、これにより機器ケース３の表面３ａを覆う保護カバー１の第２平面部８に配置された被写体６を正確にかつ良好に撮影することができる。
【００６６】
また、この電子機器２では、機器ケース３の側面部３ｃに対応する保護カバー１の連結部９にペンホルダ部２７が設けられ、このペンホルダ部２７に開閉検出部２６の被検出部２６ｂが設けられていることにより、磁石である被検出部２６ｂを保護カバー１に簡単にかつ容易に設けることができると共に、保護カバー１の連結部９にペンホルダ部２７を設けているので、ペンホルダ部２７を保護カバー１にコンパクトに設けることができる。
【００６７】
また、この電子機器２では、表面３ａに撮像部５が設けられた平面型の電子機器２を折り曲げ自在に覆う保護カバー１が、電子機器２の裏面３ｄが配置される第１平面部７と、電子機器２の表面３ａを開閉自在に覆う第２平面部８と、第１平面部７および第２平面部８を折り曲げ自在に連結する連結部９と、第２平面部８が電子機器２の表面３ａを覆う際に、第２平面部８が第１平面部７に対して予め定められた角度θに傾くと、第２平面部８の閉動作を一旦停止させる一時停止部２０とを備えていることにより、機器ケース３の撮像部５による撮影のタイミングを確保して正確にかつ良好に撮影することができる。
【００６８】
すなわち、この保護カバー１では、第１平面部７に配置された電子機器２の表面３ａを第２平面部８で覆う際に、第２平面部８を一時停止部２０によって予め定められた傾斜角度θで一旦停止させることができるので、機器ケース３の撮像部５による撮影のタイミングを確保することができ、これにより開閉検出部２６による保護カバー１の開閉状態を余裕をもって正確に検出することができるので、第２平面部８に配置された記録紙や名刺などの被写体６を常に一定の状態で正確にかつ良好に撮影することができる。
【００６９】
この場合、一時停止部２０は、予め定められた回転力以上の回転力によって回転する第１ヒンジ２１と、予め定められた回転力以下の回転力によって回転する第２ヒンジ２２とを有していることにより、第２平面部８が電子機器２の表面３ａを覆う際に、第２ヒンジ２２の中心に第２平面部８を第１平面部７に対して回転させて予め定められた傾斜角度θで一旦停止させた後に、第１ヒンジ２１を中心に第２平面部８を第１平面部７に対して回転させることができる。
【００７０】
すなわち、この一時停止部２０は、第１ヒンジ２１が第２平面部８と連結部９とに取り付けられ、第２ヒンジ２２が第１平面部７と連結部９とに取り付けられていることにより、第２平面部８が電子機器２の表面３ａを覆う際に、予め定められた回転力以下の回転力で回転する第２ヒンジ２２の中心に第２平面部８が連結部９と共に第１平面部７に対して回転し、この第２平面部８が第１平面部７に対して予め定められた角度θに傾斜すると、第１ヒンジ２１の回転力によって第２平面部８の回転を急に重くして、第２平面部８と連結部９との回転を一旦停止させることができる。
【００７１】
また、この一時停止部２０は、第２平面部８が第１平面部７に対して予め定められた角度θに傾斜した際に、第２平面部８を予め定められた回転力以上の回転力で回転させると、今度は第１ヒンジ２１を中心に第２平面部８を連結部９に対して回転させることができ、これにより連結部９を機器ケース３の側面部３ｃに対応させて機器ケース３の側面部３ｃを覆うことができると共に、第２平面部８を機器ケース３の表面３ａに対応させて機器ケース３の表面３ａを覆うことができる。
【００７２】
さらに、この一時停止部２０は、第２平面部８が第１平面部７に対して予め定められた角度θで一旦停止する際に、第２平面部８にクリック感を付与するクリック感付与部２３を備えているので、このクリック感付与部２３によるクリック感によって、第２平面部８が第１平面部７に対して予め定められた角度θに傾斜したことを確認することができる。
【００７３】
これによっても、撮像部５による撮影のタイミングを正確に知ることができるので、第２平面部８に配置された記録紙や名刺などの被写体６を常に一定の状態で均一に撮影することができると共に、第１平面部７と第２平面部８との間に異物が挟まって回転力が重くなっても、クリック感がなければ、第２平面部８が第１平面部７に対して予め定められた角度θに傾斜していないと判断することができる。
【００７４】
すなわち、このクリック感付与部２３は、第２平面部８が第１平面部７に対して予め定められた角度θに傾斜すると、クリック本体２４のスライド部２４ｂが、コイルばね２４ｃのばね力に抗して、第１平面部７に設けられたアーム部２５で押されて本体部２４ａ内に押し込まれ、スライド部２４ｂの鍔部２４ｄが本体部２４ａ内の突起部２４ｅを乗り越えることにより、クリック感を発生するので、クリック感付与部２３によるクリック感によって、撮像部５による撮影のタイミングを正確にかつ確実に知ることができる。
【００７５】
（第２実施形態）
次に、図９〜図１２を参照して、この発明を適用した電子機器２の第２実施形態について説明する。なお、図１〜図８に示された第１実施形態と同一部分には同一符号を付して説明する。
この電子機器２は、図９〜図１１に示すように、保護カバー１の一時停止部３０が第１実施形態と異なる構成であり、これ以外は第１実施形態とほぼ同様に構成されている。
【００７６】
すなわち、この一時停止部３０は、図９〜図１１に示すように、保護カバー１の連結部９の一側部に位置する第１平面部７に設けられた第１磁石３１と、連結部９の他側部に位置する第２平面部８に設けられた第２磁石３２とを有し、第１磁石３１と第２磁石３２とが磁力によって吸着することにより、第２平面部８を第１平面部７に対して所定の状態で保護するように構成されている。
【００７７】
この場合、第１平面部７と連結部９とは、第１平面部７の中板１０と連結部９の中板１０とを覆うカバーシート１１によって連結され、このカバーシート１１が屈曲することによって自由に折れ曲がるように構成されている。また、第２平面部８と連結部９とは、第２平面部８の中板１０と連結部９の中板１０とを覆うカバーシート１１によって連結され、このカバーシート１１が屈曲することによって自由に折れ曲がるように構成されている。
【００７８】
ところで、一時停止部３０の第１磁石３１は、図９〜図１１に示すように、第２平面部８を第１平面部７に対して予め定められた角度θに傾斜させて保持するための第１傾斜部３３と、第２平面部８が機器ケース３の表面３ａを覆って閉じた際に第２平面部８を位置規制する第２傾斜部３４とを備えている。
【００７９】
この場合、第１磁石３１は、図９〜図１１に示すように、その厚みが連結部９の幅よりも低い高さ、つまり機器ケース３の厚みとほぼ同じ高さで形成されている。この第１磁石３１の第１傾斜部３３は、連結部９側に位置する第１磁石３１の端部から機器ケース３側に向けて右上がりに傾斜して形成されている。この第１傾斜部３３の上部には、第２磁石３２の位置を規制するための突起部３３ａが形成されている。
【００８０】
この第１磁石３１の第２傾斜部３４は、図９〜図１１に示すように、第１傾斜部３３の上端部から機器ケース３側に向けて右下がりに傾斜する傾斜部３４ａと、この傾斜部３４ａから機器ケース３側に向けて平坦に延びる平坦部３４ｂとを有し、これら傾斜部３４ａおよび平坦部３４ｂが第１磁石３１の上部に連続して形成されている。
【００８１】
一方、第２磁石３２は、図９〜図１１に示すように、第１磁石３１の第１傾斜部３３に吸着して第２平面部８を第１平面部７に対し予め定められた角度θに傾斜させて保持するための第３傾斜部３５と、第２平面部８が機器ケース３の表面３ａを覆って閉じた際に第１磁石３１の第２傾斜部３４に吸着して第２平面部８を位置規制する第４傾斜部３６とを備えている。
【００８２】
この場合、第２磁石３２は、図９〜図１１に示すように、第２平面部８が機器ケース３の表面３ａを覆って第１磁石３１上に重なった際に、その両者の厚みが連結部９の幅、つまり機器ケース３の厚みよりも少し高くなるように、第２磁石３２の厚みが薄く形成されている。この第２磁石３２の第３傾斜部３５は、連結部９側に位置する第２磁石３２の端面であり、第１磁石３１の第１傾斜部３３上に吸着した際に、第２平面部８を第１平面部７に対し予め定められた角度θに傾斜させて保持するように構成されている。
【００８３】
この第２磁石３２の第４傾斜部３６は、図１１に示すように、第３傾斜部３５の上端部から連結部９と反対側に向けて右上りに傾斜する上り傾斜部３６ａと、この上り傾斜部３６ａの上部に位置する溝部３６ｂと、この溝部３６ｂから連結部９と反対側に向けて右下りに傾斜する下り傾斜部３６ｃと、この下り傾斜部３６ｃから連結部９と反対側に向けて平坦に延びる平坦部３６ｄとを有し、これら上り傾斜部３６ａ、溝部３６ｂ、下り傾斜部３６ｃおよび平坦部３６ｄが第２磁石３２の上部に連続して形成されている。
【００８４】
すなわち、この第４傾斜部３６は、図１１に示すように、第２平面部８が機器ケース３の表面３ａを覆って閉じた際に、上り傾斜部３６ａが第１傾斜部３３に対応して吸着し、溝部３６ｂが第１傾斜部３３の突起部３３ａに対応して吸着し、下り傾斜部３６ｃが第２傾斜部３４の傾斜部３４ａに対応して吸着し、平坦部３６ｄが第２傾斜部３４の平坦部３４ｂに対応して吸着し、これにより第１磁石３１に対する第２磁石３２の機器ケース３の前後方向（図１１では左右方向）への位置を規制するように構成されている。
【００８５】
次に、このような保護カバー１の作用について説明する。
まず、電子機器２を保護カバー１に取り付けて携帯する際には、第２平面部８を連結部９で折り曲げて機器ケース３の表面３ａに配置する。このときには、第１平面部７と連結部９との間、および第２平面部８と連結部９との間が、屈曲して折れ曲がることにより、一時停止部３０によって第２平面部８の閉動作を一旦停止させて、第２平面部８が第１平面部７に対して予め定められた角度θに傾斜した状態で保持される。
【００８６】
すなわち、第１平面部７と連結部９との間、および第２平面部８と連結部９との間が、屈曲して折れ曲がると、一時停止部３０である第２平面部８の第２磁石３２が第１平面部７の第１磁石３１に接近し、第２磁石３２の第３傾斜部３５が第１磁石３１の第１傾斜部３３に対応して吸着し、第２平面部８を第１平面部７に対して予め定められた角度θに傾斜させて保持する。
【００８７】
このときには、第２磁石３２の第３傾斜部３５の角部が第１磁石３１の第１傾斜部３３の上部に位置する突起部３３ａに当接して位置規制されるので、第２磁石３２の第３傾斜部３５を第１磁石３１の第１傾斜部３３の所定位置に吸着させることができ、これにより第２平面部８を一定の位置で予め定められた角度θに傾斜させて保持することができる。
【００８８】
この後、第２平面部８を第１磁石３１と第２磁石３２との吸着力に抗して回転させると、第２磁石３２の第３傾斜部３５の角部が、第１磁石３１の第１傾斜部３３の上部に位置する突起部３３ａに当接した状態で支点として回転し、第２磁石３２の第４傾斜部３６が第１磁石３１の第１傾斜部３３と第２傾斜部３４とに対応する。
【００８９】
そして、第２平面部８が機器ケース３の表面３ａに対応して機器ケース３の表面３ａを覆って閉じた際には、第２磁石３２の第４傾斜部３６の上り傾斜部３６ａが第１傾斜部３３に対応して吸着し、第４傾斜部３６の溝部３６ｂが第１傾斜部３３の突起部３３ａに対応して吸着し、第４傾斜部３６の下り傾斜部３６ｃが第２傾斜部３４の傾斜部３４ａに対応して吸着し、第４傾斜部３６の平坦部３６ｄが第２傾斜部３４の平坦部３４ｂに対応して吸着する。
【００９０】
これにより、第１磁石３１に対して第２磁石３２が、機器ケース３の前後方向（図１１で歯左右方向）に位置ずれすることなく、確実に位置規制されるので、第２平面部８が機器ケース３の表面３ａに対応して機器ケース３の表面３ａを確実に覆って閉じた状態を保持することができる。このため、第１磁石３１と第２磁石３２との磁力による吸着力によって、第２平面部８が勝手に開くことがない。
【００９１】
次に、この保護カバー１で保護された電子機器２を使用する場合について説明する。この場合には、まず、第２平面部８を開いて機器ケース３の表面３ａを開放する。このときには、一時停止部３０の第１磁石３１と第２磁石３２との磁力による吸着力に抗して、第２平面部８を回転させると、第２磁石３２の第３傾斜部３５の角部を支点として、第２磁石３２が第１磁石に対して回転する。
【００９２】
すると、第２平面部８と連結部９との間が屈曲して折れ曲がることにより、第２平面部８が回転して開く。この後、第１平面部７と連結部９との間が屈曲して折れ曲がることにより、第２平面部８が１８０度回転して展開状態に開き、機器ケース３の入力表示部４が露呈する。この状態では、入力表示部４に表示された情報を見ながらタッチ操作することにより、表示を切り替えたり情報を入力したりすることができる。
【００９３】
この場合、電子機器２を片手で持って操作する場合には、第１平面部７と連結部９との間、および第２平面部８と連結部９との間のいずれか一方を屈曲させて折り曲げることにより、第２平面部８を更に１８０度回転させて第１平面部７の下に重ね合わせる。この状態で、機器ケース３と第２平面部８とを片手で挟むように持って、機器ケース３の入力表示部４をタッチ操作することにより、良好に使用することができる。
【００９４】
また、電子機器２を保護カバー１で立て掛けて使用する場合には、まず、保護カバー１を平面的に広げて展開させ、この状態で、図１２に示すように、第１平面部７と連結部９との間で屈曲させて第１平面部７を第２平面部８に対して回転させて起立させる。このときには、第１磁石３１の第１傾斜部３３が第２磁石３２の第４傾斜部３６の上り傾斜部３６ａに対応して吸着すると共に、第１磁石３１の第１傾斜部３３の突起部３３ａが第２磁石３２の第４傾斜部３６の溝部３６ｂに対応して吸着する。
【００９５】
これにより、第１磁石３１と第２磁石３２との磁力による吸着力によって、第１平面部７を第２平面部８に対して起立させた状態で保持することができる。そして、この起立した第１平面部７を第１折曲部１２で機器ケース３の後方に突出させて折り曲げる。すると、機器ケース３の撮影部５が上部に位置し、これと反対側に位置する機器ケース３の下側の側面部３ｃが第２平面部８上に配置された状態で、機器ケース３が斜めに傾斜して保護カバー１によって立て掛けられる。
【００９６】
このときには、機器ケース３の下側に位置する側面部３ｃの縁部を第２平面部８に設けられた第１位置規制溝８ａと第２位置規制溝８ｂとのいずれかに選択的に係止させることにより、第１実施形態と同様、機器ケース３の傾き角度が調整される。例えば、機器ケース３の下側に位置する側面部３ｃの縁部を第２平面部８の第１位置規制溝８ａに係止させると、機器ケース３の傾きが緩やかになる。
【００９７】
また、機器ケース３の下側に位置する側面部３ｃの縁部を第２平面部８の第２位置規制溝８ｂに係止させると、機器ケース３の傾きが急になる。更に、機器ケース３の下側に位置する側面部３ｃの縁部を第２位置規制溝８ｂよりも連結部９側に位置する第２平面部８の上面に配置させると、機器ケース３を更に急な角度で立て掛けることができる。
【００９８】
また、電子機器２を片手で持ちながら被写体６であるレポート用紙などの記録紙にメモ書きをする場合には、第１実施形態と同様、保護カバー１で機器ケース３を覆って保護した状態で、第２平面部８を第２折曲部１３で折り返す。すると、第２平面部８が２つに折れ曲がって重なり合う。この状態で、電子機器２を保護カバー１と共に片手で持ち、重なり合った第２平面部８の最上面にレポート用紙などの記録紙を配置してメモを取ることができる。
【００９９】
また、メモを取った記録紙を見ながら入力表示部４をタッチ操作する場合には、一度、保護カバー１を平面的に広げて展開させ、この状態で、第１実施形態と同様、第１平面部７と連結部９との間で屈曲させて第１平面部７を回転させると共に、第１平面部７を第１折曲部１２で機器ケース３の下方に折り曲げて重ね合わせる。
【０１００】
すると、第２平面部８が機器ケース３の下側に重なり合うので、第１実施形態と同様、第２平面部８と折り返られて下側に位置する第１平面部７の半分との間に記録紙を挟んで、記録紙の一部を機器ケース３から突出させることにより、この突出した部分の記録紙に書き込まれたメモを見ながら機器ケース３の入力表示部４をタッチ操作することができる。
【０１０１】
次に、記録紙に記録されたメモ書きや名刺などの被写体６を撮像部５で撮影する場合について説明する。
この場合には、まず、保護カバー１の第１平面部７上の機器取付板１４に機器ケース３を取り付けた状態で、電子機器２を撮影モードにセットし、撮像部５による撮影が可能な状態にする。そして、保護カバー１を平面的に広げて展開させ、この展開した保護カバー１の第２平面部８上に被写体６を配置する。このときには、被写体６を第２平面部８のコーナーバンド８ｃに挟んで固定する。
【０１０２】
この状態で、図９に示すように、第１平面部７と連結部９との間、および第２平面部８と連結部９との間で屈曲させて、第２平面部８を連結部９と共に折り曲げて機器ケース３の表面３ａに向けて傾ける。すると、一時停止部３０である第２平面部８の第２磁石３２が第１平面部７の第１磁石３１に接近し、第２磁石３２の第３傾斜部３５が第１磁石３１の第１傾斜部３３に対応して吸着し、第２平面部８を第１平面部７に対して予め定められた角度θに傾斜させて保持する。
【０１０３】
このときには、第２磁石３２の第３傾斜部３５の角部が第１磁石３１の第１傾斜部３３の上部に位置する突起部３３ａに当接して位置規制されるので、第２磁石３２の第３傾斜部３５を第１磁石３１の第１傾斜部３３の所定位置に吸着させることができ、これにより第２平面部８を一定の位置で予め定められた角度θに傾斜させて保持することができる。
【０１０４】
すると、開閉検出部２６が第２平面部８の開閉角度を検出する。すなわち、開閉検出部２６は、第２平面部８が第１平面部７に対して予め定められた角度θに傾斜すると、保護カバー１に設けられた磁石である被検出部２６ｂが、機器ケース３に設けられたホール素子などの磁気センサである検出素子２６ａに接近し、この検出素子２６ａが被検出部２６ｂの磁界を検出し、撮像部５による撮影を実行させるための電気信号を出力する。これにより、撮像部５によってメモ書きされた記録紙や名刺などの被写体６を撮影する。
【０１０５】
また、これに限らず、例えば電子機器２を保護カバー１で立て掛けた状態でも、被写体６を撮影することができる。この場合には、図１２に示すように、第２平面部８と連結部９との間で屈曲させて第１平面部７を回転させて起立させる。このときに、第１磁石３１の第１傾斜部３３を第２磁石３２の第４傾斜部３６の上り傾斜部３６ａに対応させて吸着させると共に、第１磁石３１の第１傾斜部３３の突起部３３ａを第２磁石３２の第４傾斜部３６の溝部３６ｂに対応させて吸着させる。
【０１０６】
これにより、第１磁石３１と第２磁石３２との磁力による吸着力によって、第１平面部７を第２平面部８に対して起立させた状態で保持することができる。この起立した第１平面部７を第１折曲部１２で機器ケース３の後方に突出させて折り曲げることにより、図１２に示すように、機器ケース３を斜めに傾斜させて保護カバー１によって立て掛ける。この状態で、電子機器２の前側にメモ書きされた記録紙や名刺などの被写体６を配置し、撮影用のスイッチ（図示せず）をオンさせることにより、被写体６を撮像部５によって撮影することができる。
【０１０７】
このように、この第２実施形態の電子機器２によれば、第１実施形態と同様、保護カバー１が機器ケース３を覆う際に、保護カバー１の開閉角度を検出して撮像部５による撮影を実行させるための検出信号を出力する開閉検出部２６を備えていることにより、撮像部５による撮影のタイミングを一定に保って正確にかつ良好に撮影することができる。
【０１０８】
すなわち、この電子機器２においても、第１実施形態と同様、保護カバー１が機器ケース３を覆う際に、開閉検出部２６によって保護カバー１の開閉角度を検出することができるので、この開閉検出部２６で検出された検出信号に基づいて、機器ケース３の撮像部５による撮影のタイミングを一定に保つことができ、これにより機器ケース３の表面３ａを覆う保護カバー１に配置された被写体６を正確にかつ良好に撮影することができる。
【０１０９】
また、この第２実施形態の電子機器２では、一時停止部３０が、連結部９の一側部に位置する第１平面部７に設けられた第１磁石３１と、連結部９の他側部に位置する第２平面部８に設けられた第２磁石３２とを有し、第２平面８部が第１平面部７に対して予め定められた角度θに傾いた際に、第１磁石３１と第２磁石３２とが磁力によって吸着して第２平面部８を第１平面部７に対して予め定められた角度θに傾斜させた状態で保持する構成であるから、機器ケース３の撮像部５による撮影のタイミングを確保して正確にかつ良好に撮影することができる。
【０１１０】
すなわち、この電子機器２では、第１実施形態と同様、保護カバー１の第１平面部７に配置された機器ケース３の表面３ａを第２平面部８で覆う際に、第２平面部８を一時停止部３０によって予め定められた傾斜角度θで一旦停止させることができるので、機器ケース３の撮像部５による撮影のタイミングを確保することができ、これにより開閉検出部２６が保護カバー１の開閉角度を検出する際に、余裕をもって検出することができるので、第２平面部８に配置された記録紙や名刺などの被写体６を常に一定の状態で正確にかつ良好に撮影することができる。
【０１１１】
この場合、一時停止部３０の第１磁石３１は、第２平面部８を第１平面部７に対して予め定められた角度θに傾斜させて保持するための第１傾斜部３３と、第２平面部８が機器ケース３の表面３ａを覆って閉じた際に第２平面部８を位置規制する第２傾斜部３４とを備えており、第２磁石３２は、第１磁石３１の第１傾斜部３３に吸着する第３傾斜部３５と、第２平面部８が機器ケース３の表面を覆って閉じた際に第１磁石３１の第２傾斜部３４に吸着する第４傾斜部３６とを備えているので、第２平面部８で機器ケース３の表面３ａを閉じる際に、第２平面部８を予め定められた傾斜角度θで確実に且つ正確に一旦停止させることができる。
【０１１２】
（第３実施形態）
次に、図１３〜図１６を参照して、この発明を適用した電子機器の第３実施形態について説明する。この場合にも、図１〜図８に示された第１実施形態と同一部分に同一符号を付して説明する。
この電子機器２は、図１３〜図１６に示すように、保護カバー１の開閉動作を一旦停止させる一時停止部４０と、保護カバー１の開閉角度を検出する開閉検出部４１とが、第１実施形態と異なる構成であり、これ以外は第１実施形態とほぼ同様に構成されている。
【０１１３】
この場合、保護カバー１は、第１実施形態と同様、電子機器２の裏面３ｄが配置される第１平面部７と、電子機器２の表面３ａを開閉自在に覆う第２平面部８と、第１平面部７および第２平面部８を折り曲げ自在に連結する連結部９とを備えていている。第１平面部７、第２平面部８および連結部９は、図４に示した第１実施形態と同様、それぞれ合成樹脂製の中板１０と、この中板１０を覆うカバーシート１１とで構成されている。
【０１１４】
この保護カバー１は、図１３〜図１５に示すように、第２平面部８が電子機器２の表面３ａを覆う際に、第２平面部８が第１平面部７に対して予め定められた角度θに傾くと、第２平面部８の閉じる動作を一旦停止させる一時停止部４０を備えている。この一時停止部４０による第２平面部８の予め定められた角度θとは、第１実施形態と同様、例えば４５度〜９０度の範囲であり、好ましくは６０度程度の角度である。
【０１１５】
この一時停止部４０は、図１３〜図１５に示すように、予め定められた回転力以上の回転力によって回転する第１ヒンジ４２と、予め定められた回転力以下の回転力によって回転する第２ヒンジ４３とを有している。第１ヒンジ４２は、第１実施形態と同様、トルクヒンジであり、第２平面部８と連結部９との間に取り付けられている。
【０１１６】
この第１ヒンジ４２は、予め定められた回転力以上の回転力によって回転し、その回転が所定角度になると、クリック感を付与して一旦停止した後、再び予め定められた回転力以上の回転力によって回転するように構成されている。また、第２ヒンジ４３は、第１ヒンジ４２と同様、トルクヒンジであり、第１平面部７と連結部９との間に取り付けられている。この第２ヒンジ４３は、予め定められた回転力以下の回転力によって回転し、その回転が所定角度になると、クリック感を付与して一旦停止するように構成されている。
【０１１７】
これにより、一時停止部４０は、図１３〜図１５に示すように、第２平面部８が電子機器２の表面３ａを覆う際に、第２ヒンジ４３を中心に第２平面部８を連結部９と共に第１平面部７に対して回転させ、予め定められた傾斜角度θでクリック感を付与して一旦停止し、この状態で第１ヒンジ４２に予め定められた回転力以上の回転力が加わると、第２ヒンジ４３を中心に連結部８が回転して後述する開閉検出部４１のカバー部材４８に当接した後に、第１ヒンジ４２を中心に第２平面部８を連結部９に対して回転させ、その回転が所定角度になると、クリック感を付与して停止するように構成されている。
【０１１８】
一方、開閉検出部４１は、図１３〜図１６に示すように、保護カバー１の開閉角度を検出するためのものであり、電子機器２の機器ケース３内に設けられて磁界の変化を検出する検出素子４４と、保護カバー１に設けられ、かつこの保護カバー１の開閉動作に応じて磁界が変化する被検出部４５とを有している。この場合、検出素子４４は、磁界の変化を検出する磁気抵抗素子（ＭＲ素子：Magneto Resistance 素子）などの磁気センサであり、機器ケース３内における保護カバー１の連結部９の中間部に対応する箇所に設けられている。
【０１１９】
被検出部４５は、図１３〜図１６に示すように、保護カバー１の開閉動作に応じて変位する変位部材４６と、この変位部材４６に設けられて変位部材４６の変位に応じて検出素子４４に対する磁界の向きが変化する磁石４７と、変位部材４６および磁石４７を覆って保護するカバー部材４８とを備えている。変位部材４６は、保護カバー１の第１平面部７における中間部に位置し、第１平面部７に取り付けられた電子機器２内の検出素子４４に対応して配置され、この状態で保護カバー１の開閉動作に応じて上下方向に回転するように構成されている。
【０１２０】
すなわち、この変位部材４６は、図１４および図１５に示すように、保護カバー１の第１平面部７上に設けられたベース部４９の支持軸４９ａに上下方向に回転可能に取り付けられている。この場合、変位部材４６は、その一端部４６ａがカバー部材４８の開口部４８ａから保護カバー１の連結部９に向けて突出し、この突出した先端部が連結部９に設けられた当接部５０に接離可能に当接するように構成されている。
【０１２１】
また、この変位部材４６は、図１４および図１５に示すように、ばね部材５１のばね力によって、一端部４６ａが押し下げられる方向に付勢力されていることにより、一端部４６ａが連結部９に設けられた当接部５０に押し当てられるように構成されている。この場合、当接部５０は、連結部９に設けられた突起部であり、図１４に示すように保護カバー１が開いて展開した状態のときに、変位部材４６の一端部４６ａに当接して、その一端部４６ａを押し上げるように構成されている。
【０１２２】
また、この当接部５０は、図１４に示す状態で、連結部９が第２ヒンジ４３を中心に第２平面部８と共に折れ曲がって回転する際に、変位部材４６の一端部４６ａがばね部材５１のばね力によって押し当てられた状態で、連結部９の回転に伴って徐々に下り、この後、第２平面部８が第１平面部７に対して所定角度に開いて傾いた際に、変位部材４６の磁石４７がカバー部材４８の上部内面に当接することにより、変位部材４６の一端部４６ａから徐々に離れるように構成されている。
【０１２３】
これにより、変位部材４６は、図１４に示すように、保護カバー１が開いて平坦状に展開した状態のときに、一端部４６ａが保護カバー１の連結部９に設けられた当接部５０によって押し上げられていることにより、ばね部材５１のばね力に抗して、ベース部４９の支持軸４９ａを中心に反時計回りに回転して、他端部４６ｂが押し下げられるように構成されている。
【０１２４】
また、この変位部材４６は、保護カバー１が第２ヒンジ４３を中心に折り曲げられて第２平面部８が連結部９と共に所定角度に傾く際に、図１４に示すように、一端部４６ａがばね部材５１のばね力によって連結部９に設けられた当接部５０に押し付けられた状態で、当接部５０と共に移動しながら、ベース部４９の支持軸４９ａを中心に時計回りに回転して、他端部４６ｂが徐々に押し上げられるように構成されている。
【０１２５】
さらに、この変位部材４６は、図１５に示すように、保護カバー１が折り曲げられて第２平面部８が電子機器２の表面３ａを覆う際に、一端部４６ａがばね部材５１のばね力によって押されてベース部４９の支持軸４９ａを中心に時計回りに回転し、他端部４６ｂが押し上げられてカバー部材４８の上部内面に当接することにより、一端部４６ａが連結部９に設けられた当接部５０から離れるように構成されている。
【０１２６】
この変位部材４６の他端部４６ｂには、図１４および図１５に示すように、磁石４７が設けられている。この磁石４７は、Ｓ極が支持軸４９ａ側に位置し、これと反対側にＮ極が位置し、このＮ極からＳ極に向けて磁界を発生させるように構成されている。この磁石４７は、図１６に示すように、変位部材４６が支持軸４９ａを中心に上下方向に回転すると、これに伴って上下方向に回転移動することにより、検出素子４４に対する磁界の向きが変化するように構成されている。
【０１２７】
これにより、開閉検出部４１は、図１４〜図１６に示すように、保護カバー１を連結部９で折り曲げて開閉する際に、その保護カバー１の開閉動作に応じて変位部材４６が支持軸４９ａを中心に上下方向に回転し、この変位部材４６の回転に伴って磁石４７が上下方向に変位して、磁石４７の磁界の向きを変化させ、この磁界の変化を電子機器２の機器ケース３内に設けられた検出素子４４で検出し、この検出信号に基づいて撮像部５による撮影を実行させるように構成されている。
【０１２８】
この場合、保護カバー１の第１平面部７上には、図１３に示すように、電子機器２の機器ケース３の裏面３ｄが開閉検出部４１の被検出部４５に当接するのを防ぐための一対の位置規制部５２が設けられている。すなわち、この一対の位置規制部５２は、被検出部４５のカバー部材４８の側面、つまり連結部９と反対側に位置するカバー部材４８の側面よりも、少し機器ケース１側に突出し、この状態で保護カバー１の連結部９における長手方向の両側に位置する第１平面部７上の箇所にそれぞれ設けられている。
【０１２９】
次に、この電子機器２の作用について説明する。
保護カバー１に取り付けられた電子機器２を携帯する際には、保護カバー１の第１平面部７上に機器ケース３を取り付けた状態で、第２平面部８を連結部９で折り曲げて機器ケース３の表面３ａに配置する。このときには、まず、一時停止部４０の第２ヒンジ４３を中心に第２平面部８が連結部９と共に第１平面部７に対して回転し、この第２平面部８が第１平面部７に対して予め定められた角度θに傾斜すると、第２ヒンジ４３によって第２平面部８の閉動作がクリック感をもって一旦停止する。
【０１３０】
この後、第２平面部８を予め定められた回転力以上の回転力で回転させると、第２ヒンジ４３が再び回転して連結部９が開閉検出部４１のカバー部材４８の側面に当接した後に、今度は第１ヒンジ４２を中心に第２平面部８が連結部９に対して回転する。これにより、連結部９が機器ケース３の側面部３ｃに対応して機器ケース３の側面部３ｃを覆うと共に、第２平面部８が機器ケース３の表面３ａに対応して機器ケース３の表面３ａを覆う。これにより、電子機器２を保護カバー１で良好に保護して携帯することができる。
【０１３１】
また、記録紙に記録されたメモ書きや名刺など被写体６を撮像部５で撮影する場合には、第１実施形態と同様、まず、保護カバー１の第１平面部７上に機器ケース３を取り付けた状態で、電子機器２を撮影モードにセットし、撮像部５による撮影が可能な状態にする。そして、保護カバー１を平面的に広げて展開させ、この展開した保護カバー１の第２平面部８上に被写体６を配置する。
【０１３２】
この状態で、第２ヒンジ４３を中心に第２平面部８を連結部９と共に回転させて機器ケース３の表面３ａに向けて傾ける。このときには、一時停止部４０の第２ヒンジ４３を中心に第２平面部８が連結部９と共に回転し、この第２平面部８が第１平面部７に対して予め定められた角度θに傾斜すると、第２ヒンジ４３によって第２平面部８の閉動作がクリック感をもって一旦停止する。
【０１３３】
このときに、開閉検出部４１が第２平面部８の開閉角度を検出する。すなわち、開閉検出部４１は、第２平面部８が連結部９と共に第１平面部７に対して折り曲げられるときに、被検出部４５の変位部材４６の一端部４６ａが、ばね部材５１のばね力によって連結部９に設けられた当接部５０に当接した状態で、変位部材４６がベース部４９の支持軸４９ａを中心に時計回りに回転して、他端部４６ｂを徐々に押し上げてカバー部材４８の上部内面に接近させる。
【０１３４】
そして、第２平面部８が連結部９と共に第１平面部７に対して予め定められた角度θに傾斜すると、変位部材４６がばね部材５１のばね力によってベース部４９の支持軸４９ａを中心に回転して、変位部材４６の他端部４６ｂが押し上げられ、磁石４７がカバー部材４８の上部内面に当接する。このときには、変位部材４６の回転に伴って磁石４７が上方に向けて回転移動して磁石４７の向きが変化する。
【０１３５】
これにより、第２平面部８が第１平面部７に対して予め定められた角度θに傾斜する際には、図１６に示すように、変位部材４６の回転に伴って電子機器２内の検出素子４４に対する磁石４７の向きが変化することにより、磁石４７の磁界の向きも変化する。このときに、検出素子４４が磁界の変化を検出し、撮像部５による撮影を実行させるための電気信号を出力する。これにより、撮像部５によってメモ書きされた記録紙や名刺などの被写体６を撮影する。
【０１３６】
このように、この第３実施形態の電子機器２によれば、表面３ａに撮像部５が設けられた平面型の機器ケース３が保護カバー１によって折り曲げ自在に覆われる電子機器２であり、保護カバー１が機器ケース３を覆う際に、保護カバー１の開閉角度を検出して撮像部５による撮影を実行させるための検出信号を出力する開閉検出部４１を備えていることにより、撮像部５による撮影のタイミングを一定に保って正確にかつ良好に撮影することができる。
【０１３７】
すなわち、この電子機器２では、保護カバー１が機器ケース３を覆う際に、開閉検出部４１によって保護カバー１の開閉角度を検出することができるので、この開閉検出部４１によって検出された検出信号に基づいて、機器ケース３の撮像部５による撮影のタイミングを一定に保つことができ、これにより第１実施形態と同様、保護カバー１における機器ケース３の表面３ａを覆う箇所に配置された被写体６を正確にかつ良好に撮影することができる。
【０１３８】
この場合、開閉検出部４１は、機器ケース３に設けられた磁気抵抗素子などの磁気センサである検出素子４４と、保護カバー１に設けられ、かつこの保護カバー１の開閉動作に応じて磁界が変化する被検出部４５とを有しているので、保護カバー１の第２平面部８が保護カバー１の第１平面部７に対して傾くと、保護カバー１に設けられた被検出部４５の磁石４７の磁界の向きが変化し、その磁界の変化を機器ケース３に設けられた検出素子４４で検出することができる。
【０１３９】
このため、検出素子４４が被検出部４５における磁界の変化を検出し、撮像部５による撮影を実行させるための電気信号を検出信号として出力することができるので、この検出素子４４で検出された検出信号に基づいて、機器ケース３の撮像部５による撮影のタイミングを一定に保つことができ、これにより機器ケース３の表面３ａを覆う保護カバー１の第２平面部８に配置された被写体６を正確にかつ良好に撮影することができる。
【０１４０】
すなわち、この開閉検出部４１の被検出部４５は、保護カバー１の開閉動作に応じて変位する変位部材４６と、この変位部材４６に設けられて変位部材４６の変位に応じて検出素子４４に対する磁界の向きが変化する磁石４７とを備えていることにより、保護カバー１を連結部９で折り曲げて開閉する際に、その保護カバー１の開閉動作に応じて変位部材４６が支持軸４９ａを中心に上下方向に回転し、この変位部材４６の回転に伴って磁石４７を上下方向に回転移動させて、検出素子４４に対する磁石４７の磁界の向きを確実にかつ良好に変化させることができる。
【０１４１】
また、この電子機器２では、表面３ａに撮像部５が設けられた平面型の電子機器２を折り曲げ自在に覆う保護カバー１が、電子機器２の裏面３ｄが配置される第１平面部７と、電子機器２の表面３ａを開閉自在に覆う第２平面部８と、第１平面部７および第２平面部８を折り曲げ自在に連結する連結部９と、第２平面部８が第１平面部７に対して予め定められた角度θに傾くと、第２平面部８の閉動作を一旦停止させる一時停止部４０とを備えていることにより、第１実施形態と同様、機器ケース３の撮像部５による撮影のタイミングを確保して正確にかつ良好に撮影することができる。
【０１４２】
すなわち、この保護カバー１では、第１平面部７に配置された電子機器２の表面３ａを第２平面部８で覆う際に、第２平面部８を一時停止部４０によって予め定められた傾斜角度θで一旦停止させることができるので、第１実施形態と同様、機器ケース３の撮像部５による撮影のタイミングを確保することができ、これにより開閉検出部４１によって保護カバー１の開閉状態を余裕をもって正確に検出することができるので、第２平面部８に配置された記録紙や名刺などの被写体６を常に一定の状態で正確にかつ良好に撮影することができる。
【０１４３】
この場合、一時停止部４０は、予め定められた回転力以上の回転力によって回転する第１ヒンジ４２と、予め定められた回転力以下の回転力によって回転する第２ヒンジ４３とを有していることにより、第２平面部８が電子機器２の表面３ａを覆う際に、第２ヒンジ４３を中心に第２平面部８を第１平面部７に対して回転させて予め定められた傾斜角度θで一旦停止させた後に、第１ヒンジ４２を中心に第２平面部８を第１平面部７に対して回転させることができる。
【０１４４】
すなわち、この一時停止部４０は、第１ヒンジ４２が第２平面部８と連結部９とに取り付けられ、第２ヒンジ４３が第１平面部７と連結部９とに取り付けられていることにより、第２平面部８が電子機器２の表面３ａを覆う際に、予め定められた回転力以下の回転力で回転する第２ヒンジ４３の中心に第２平面部８が連結部９と共に第１平面部７に対して回転し、この第２平面部８が第１平面部７に対して予め定められた角度θに傾斜すると、第２平面部８と連結部９との回転をクリック感をもって一旦停止させることができる。
【０１４５】
また、この一時停止部４０は、第２平面部８が第１平面部７に対して予め定められた角度θに傾斜した際に、第２平面部８を予め定められた回転力以上の回転力で回転させると、連結部９が開閉検出部４１のカバー部材４８の側面に当接した後に、今度は第１ヒンジ４２を中心に第２平面部８を連結部９に対して回転させることができ、これにより連結部９を機器ケース３の側面部３ｃに対応させて機器ケース３の側面部３ｃを覆うことができると共に、第２平面部８を機器ケース３の表面３ａに対応させて機器ケース３の表面３ａを覆うことができる。
【０１４６】
なお、上述した第１〜第３の各実施形態では、開閉検出部２６、４１の検出素子２６ａ、４４が磁気センサであり、被検出部２６ｂ、４５が磁石を有している場合について述べたが、これに限らず、例えば検出素子を発光素子と受光素子とで構成し、被検出部を反射部で構成し、検出素子の発光素子の光を被検出部の反射部で反射させ、この反射光を検出素子の受光素子で受光することにより、保護カバー１の開閉角度を検出する光学センサであっても良い。
【０１４７】
また、開閉検出部は、これらに限らず、例えば検出素子をマイクロスイッチで構成し、この検出素子であるマイクロスイッチを押圧操作する被検出部を連結部９の一部で構成した機械式のスイッチ部であっても良い。このような機械式のスイッチ部を開閉検出部として用いれば、構造が簡単で、低コスト化を図ることができる。
【０１４８】
さらに、上述した第１、第２の各実施形態では、電子機器２としてタブレット端末装置に適用した場合について述べたが、これに限らず、キーボード部と表示部とを平面的に配列した平面型の電子機器であっても良い。この場合にも、表面に撮像部５を備えた構成のものであれば良い。
【０１４９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１５０】
（付記）
請求項１に記載の発明は、表面に撮像部が設けられた平面型の機器ケースがカバーによって折り曲げ自在に覆われる電子機器において、前記カバーが前記機器ケースを覆う際に、前記カバーの開閉角度を検出して前記撮像部による撮影を実行させるための検出信号を出力する開閉検出部を備えていることを特徴とする電子機器である。
【０１５１】
請求項２に記載の発明は、請求項１に記載の電子機器において、前記開閉検出部は、前記機器ケースに設けられた検出素子と、前記カバーに設けられ、かつ前記カバーの開閉動作に応じて前記機器ケースに接離可能に接近する被検出部とを有していることを特徴とする電子機器である。
【０１５２】
請求項３に記載の発明は、請求項２に記載の電子機器において、前記検出素子は磁界を検出する磁気センサであり、前記被検出部は磁石であることを特徴とする電子機器である。
【０１５３】
請求項４に記載の発明は、請求項１に記載の電子機器において、前記開閉検出部は、前記機器ケースに設けられて磁界の変化を検出する検出素子と、前記カバーに設けられ、かつ前記カバーの開閉動作に応じて磁界が変化する被検出部とを有していることを特徴とする電子機器である。
【０１５４】
請求項５に記載の発明は、請求項４に記載の電子機器において、前記検出素子は磁界の変化を検出する磁気センサであり、前記被検出部は、前記カバーの開閉動作に応じて変位する変位部材と、この変位部材に設けられ、かつ前記変位部材の変位に応じて前記検出素子に対する磁界の向きが変化する磁石とを備えていることを特徴とする電子機器である。
【０１５５】
請求項６に記載の発明は、請求項１〜請求項５のいずれかに記載の電子機器において、前記機器ケースの側面部に対応する前記カバーの折曲部には、ペンホルダ部が設けられ、このペンホルダ部には、前記開閉検出部の前記被検出部が設けられていることを特徴とする電子機器である。
【符号の説明】
【０１５６】
１  保護カバー
２  電子機器
３  機器ケース
４  入力表示部
５  撮像部
６  被写体
７  第１平面部
８  第２平面部
８ａ、８ｂ  第１、第２の位置規制溝
９  連結部
１２  第１折曲部
１３  第２折曲部
１４  機器取付板
１５  位置規制フック部
１６  一対の挟持フック
１７  係合部
１８  係止フック
２０、３０、４０  一時停止部
２１、４２  第１ヒンジ
２２、４３  第２ヒンジ
２３  クリック感付与部
２６、４１  開閉検出部
２６ａ、４４  検出素子
２６ｂ、４５  被検出部
２７  ペンホルダ部
３１  第１磁石
３２  第２磁石
４６  変位部材
４７  磁石
４８  カバー部材
４９ａ  支持軸
５０  当接部
５１  ばね部材
【図１】
2014041590.tif 000003
【図２】
2014041590.tif 000004
【図３】
2014041590.tif 000005
【図４】
2014041590.tif 000006
【図５】
2014041590.tif 000007
【図６】
2014041590.tif 000008
【図７】
2014041590.tif 000009
【図８】
2014041590.tif 000010
【図９】
2014041590.tif 000011
【図１０】
2014041590.tif 000012
【図１１】
2014041590.tif 000013
【図１２】
2014041590.tif 000014
【図１３】
2014041590.tif 000015
【図１４】
2014041590.tif 000016
【図１５】
2014041590.tif 000017
【図１６】
2014041590.tif 000018